(57)【要約】      （修正有）【課題】エキスパンションジョイントが設けられた建築物における放射線の漏洩を防ぐことが可能な放射線遮蔽建物を提供することを目的とする。【解決手段】本発明にかかる放射線遮蔽建物１００の構成は、複数の躯体と、複数の躯体の間に配置されるエキスパンションジョイント１１０とを有する放射線遮蔽建物１００であって、エキスパンションジョイント１１０の両側に隣接する鉄骨１０４ａ・１０４ｂのうち、一方の鉄骨１０４ａにエキスパンションジョイント１１０の隙間１１０ａに向かって伸びて放射線を遮蔽する第１遮蔽板１２２を接合したことを特徴とする。【選択図】図２
2020159986.tif 000002
【特許請求の範囲】
【請求項１】
複数の躯体と、該複数の躯体の間に配置されるエキスパンションジョイントとを有する放射線遮蔽建物であって、
前記エキスパンションジョイントの両側に隣接する鉄骨のうち、一方の鉄骨に該エキスパンションジョイントの隙間に向かって伸びて放射線を遮蔽する第１遮蔽板を接合したことを特徴とする放射線遮蔽建物。
【請求項２】
前記エキスパンションジョイントの両側に隣接する鉄骨のうち、他方の鉄骨に、前記第１遮蔽板と側面視で重複し且つ平面視で離間して放射線を遮蔽する第２遮蔽板を接合したことを特徴とする請求項１に記載の放射線遮蔽建物。
【請求項３】
前記第１遮蔽板および前記第２遮蔽板のうち、屋内寄りに接合された遮蔽板と同じ鉄骨に対して該遮蔽板より屋外寄りに第３遮蔽板が接合されることを特徴とする請求項２に記載の放射線遮蔽建物。
【請求項４】
前記躯体は鉄骨とコンクリートパネルとを含み、該コンクリートパネルは、前記エキスパンションジョイントに隣接する縁に屋内に向かって伸びるリブを有することを特徴とする請求項１から３のいずれか１項に記載の放射線遮蔽建物。
【発明の詳細な説明】
【技術分野】
【０００１】
本発明は、複数の躯体と、複数の躯体の間に配置されるエキスパンションジョイントとを有する放射線遮蔽建物に関するものである。
【背景技術】
【０００２】
規模が大きい建築物では、複数の躯体の間にエキスパンションジョイントが設けられることがある（例えば特許文献１）。特許文献１のようなエキスパンションジョイントを設けることにより、隣接する複数の躯体を力学的に分割することができ、一方の躯体にかかった荷重や移動、変形が他方の躯体に伝達されることを防ぐことができる。
【先行技術文献】
【特許文献】
【０００３】
【特許文献１】特開２００８−２４０５１０号公報
【発明の概要】
【発明が解決しようとする課題】
【０００４】
建築物には、内部に放射性物質を収容することがある。放射性物質から放射される放射線は、躯体のコンクリートパネルや鉄筋コンクリートによって遮蔽される。しかしながら、エキスパンションジョイントが設けられている建築物では、放射線がエキスパンションジョイントを通過すると、放射線が屋外に漏洩してしまう。このため、エキスパンションジョイントが設けられた建築物における放射線の漏洩を防ぐ構造の開発が求められている。
【０００５】
本発明は、このような課題に鑑みてなされたものであり、エキスパンションジョイントが設けられた建築物における放射線の漏洩を防ぐことが可能な放射線遮蔽建物を提供することを目的とする。
【課題を解決するための手段】
【０００６】
上記課題を解決するために、本発明にかかる放射線遮蔽建物の代表的な構成は、複数の躯体と、複数の躯体の間に配置されるエキスパンションジョイントとを有する放射線遮蔽建物であって、エキスパンションジョイントの両側に隣接する鉄骨のうち、一方の鉄骨にエキスパンションジョイントの隙間に向かって伸びて放射線を遮蔽する第１遮蔽板を接合したことを特徴とする。
【０００７】
上記構成によれば、エキスパンションジョイントを通過する放射線を第１遮蔽板によって遮蔽することができる。したがって、エキスパンションジョイントが設けられた建築物における放射線の漏洩を防ぐことが可能となる。
【０００８】
上記エキスパンションジョイントの両側に隣接する鉄骨のうち、他方の鉄骨に、第１遮蔽板と側面視で重複し且つ平面視で離間して放射線を遮蔽する第２遮蔽板を接合するとよい。かかる構成によれば、エキスパンションジョイントを通過する放射線を、第１遮蔽板に加え更に第２遮蔽板によって遮蔽することができる。したがって、上述した効果を高めることが可能となる。
【０００９】
上記第１遮蔽板および第２遮蔽板のうち、屋内寄りに接合された遮蔽板と同じ鉄骨に対して遮蔽板より屋外寄りに第３遮蔽板が接合されるとよい。これにより、エキスパンションジョイントを通過する放射線をより確実に遮蔽することが可能となる。
【００１０】
上記躯体は鉄骨とコンクリートパネルとを含み、コンクリートパネルは、エキスパンションジョイントに隣接する縁に屋内に向かって伸びるリブを有するこれにより、コンクリートパネルのリブを、放射線を遮蔽する部材として機能させることができる。したがって、上述した効果を高めることが可能となる。
【発明の効果】
【００１１】
本発明によれば、エキスパンションジョイントが設けられた建築物における放射線の漏洩を防ぐことが可能な放射線遮蔽建物を提供することができる。
【図面の簡単な説明】
【００１２】
【図１】本実施形態にかかる放射線遮蔽建物を説明する図である。
【図２】図１のエキスパンションジョイント近傍の拡大図である。
【図３】本実施形態の放射線遮蔽建物のバリエーションを説明する図である。
【発明を実施するための形態】
【００１３】
以下に添付図面を参照しながら、本発明の好適な実施形態について詳細に説明する。かかる実施形態に示す寸法、材料、その他具体的な数値等は、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１４】
図１は、本実施形態にかかる放射線遮蔽建物１００を説明する図である。図１（ａ）は、放射線遮蔽建物１００を側方から観察した状態を示す外観図であり、図１（ｂ）は、図１（ａ）の平面断面図である。図１（ａ）および（ｂ）に示すように、放射線遮蔽建物１００は、複数の躯体１００ａ・１００ｂ・１００ｃからなり、複数の躯体１００ａ−１００ｃは、コンクリートパネル１０２、およびこれを支持する鉄骨１０４を含んで構成される。複数の躯体１００ａ−１００ｃの間には、エキスパンションジョイント１１０がそれぞれ配置される。エキスパンションジョイント１１０とは、換言すれば躯体同士の間の隙間（切れ目）である。
【００１５】
なお図１では、図１（ｂ）の断面図においてのみエキスパンションジョイント１１０を示しているが、水平面（屋上面）にもエクスパンションジョイントは存在する。また、建屋に上層階（２階）があった場合に、上層階（２階）の床にもエキスパンションジョイントは存在する。そして本発明は、これらの水平面のエキスパンションジョイントにおいても放射線を遮蔽することができる。
【００１６】
また本実施形態においては放射線遮蔽建物１００として鉄骨とコンクリートパネルから構成される建物を用いて説明するが、鉄筋コンクリート造であってもよい。鉄筋コンクリート造の建物であっても、特に増築する際には、エキスパンションジョイントを用いる場合がある。
【００１７】
図２は、図１のエキスパンションジョイント１１０近傍の拡大図である。図２に示すように、コンクリートパネル１０２の内側には、かかるコンクリートパネル１０２を支持する梁１０６が設けられていて、コンクリートパネル１０２は接続金具１０８によって梁１０６に接続されている。エキスパンションジョイント１１０の隙間１１０ａには風雨を避けるために樹脂製または金属薄板のカバーが取り付けられるが、図２では記載を省略している。
【００１８】
図２に示すように本実施形態の放射線遮蔽建物１００では、エキスパンションジョイント１１０の両側に隣接する鉄骨１０４ａ・１０４ｂのうち、一方の鉄骨１０４ａにエキスパンションジョイントの隙間１１０ａに向かって伸びる第１遮蔽板１２２が接合されている。
【００１９】
上記構成によれば、図２に示す放射線Ａがエキスパンションジョイント１１０を通過する前に第１遮蔽板１２２によって遮蔽される。これにより、エキスパンションジョイント１１０が設けられた建築物における放射線の漏洩を防ぐことが可能となる。なお、第１遮蔽板１２２は、エキスパンションジョイント１１０の両側に隣接する鉄骨１０４ａ・１０４ｂのうち、他方の鉄骨１０４ｂには接合されていない。これにより、エキスパンションジョイント１１０の機能を確保しつつ、放射線を遮蔽することが可能となる。
【００２０】
また本実施形態では、図２に示すように、エキスパンションジョイント１１０の両側に隣接する鉄骨１０４ａ・１０４ｂのうち、他方の鉄骨１０４ｂに第２遮蔽板１２４を接合している。第２遮蔽板１２４は、第１遮蔽板１２２と側面視で重複し且つ平面視で離間して配置されている。これにより、図２に示す放射線Ｂは、第１遮蔽板１２２を通過しないが、第２遮蔽板１２４によって遮蔽される。したがって、放射線をより確実に遮蔽することが可能となる。
【００２１】
更に本実施形態では、第１遮蔽板１２２および第２遮蔽板１２４のうち、屋内寄りに接合された第２遮蔽板１２２と同じ鉄骨１０４ｂに対して、第２遮蔽板１２４より屋外寄りに第３遮蔽板１２６が接合されている。第２遮蔽板１２４がコンクリートパネル１０２から離れているために、大きめの隙間が開いてしまい、放射線Ｃの角度では鉄骨１０４ｂを１枚だけ通過してエキスパンションジョイント１１０に到達してしまう。しかし第３遮蔽板１２６を配置したことにより、鉄骨１０４ｂにおいて十分な厚みが確保できない場合においても、鉄骨１０４ｂを通過した放射線Ｃを第３遮蔽板１２６によって遮蔽することができる。したがって、エキスパンションジョイント１１０を通過する放射線をより好適に遮蔽することが可能となる。
【００２２】
なお、仮に放射線Ｄのように、エキスパンションジョイント１１０を通過するまでに鉄骨１０４ｂを２箇所通過する場合がある。このような場合には、上述した遮蔽板を通過しなくても鉄骨１０４ｂの肉厚だけで放射線を遮蔽することが可能である。
【００２３】
また本実施形態では、コンクリートパネル１０２は、エキスパンションジョイント１１０に隣接する縁に屋内に向かって伸びるリブ１０２ａを有する。これにより、コンクリートパネル１０２のリブ１０２ａを、放射線を遮蔽する部材として機能させることができる。したがって、放射線Ｅのように遮蔽板を通過しない場合においても、かかる放射線Ｅを好適に遮蔽することが可能となる。
【００２４】
図３は、本実施形態の放射線遮蔽建物１００のバリエーションを説明する図である。例えば、鉄骨１０４ａ・１０４ｂにおいて放射線を遮蔽可能な十分な遮蔽能力が得られる場合には、図３（ａ）に示すように、第３遮蔽板１２６（図２参照）を設けなくても、鉄骨１０４ｂによって放射線を遮蔽することが可能である。
【００２５】
図３（ｂ）に示す例では、屋外寄りに配置される第１遮蔽板１２２を、エキスパンションジョイント１１０の隙間１１０ａを覆う長さとし、可能な限り鉄骨１０４ｂまで近づけている。このように第１遮蔽板１２２によってエキスパンションジョイント１１０の隙間１１０ａの全体を覆う構成とすれば、第２遮蔽板１２４（図２参照）を設けなくても放射線を遮蔽することが可能である。
【００２６】
ここで、図２に示す第１遮蔽板１２２、第２遮蔽板１２４および第３遮蔽板１２６は、溶接によって鉄骨１０４ａ・１０４ｂに接合することを想定している。そこで、図３（ｃ）に示すように、第１遮蔽板１２２および第２遮蔽板１２４の接合箇所を補強部材１３０によって補強することにより、鉄骨１０４ａ・１０４ｂとの接合強度を高めることが可能となる。
【００２７】
なお、図３（ｃ）に示す例では第３遮蔽板１２６は補強部材１３０によって補強されていないが、これは例示にすぎない。第１遮蔽板１２２、第２遮蔽板１２４および第３遮蔽板１２６のうち、いずれかの遮蔽板を補強部材１３０によって補強してもよいし、全ての遮蔽板を補強部材１３０によって補強してもよい。
【００２８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００２９】
本発明は、鉄骨とコンクリートパネルとを含む複数の躯体と、複数の躯体の間に配置されるエキスパンションジョイントとを有する放射線遮蔽建物に利用することができる。
【符号の説明】
【００３０】
１００…放射線遮蔽建物、１００ａ…躯体、１００ｂ…躯体、１００ｃ…躯体、１０２…コンクリートパネル、１０２ａ…リブ、１０４…鉄骨、１０４ａ…鉄骨、１０４ｂ…鉄骨、１０６…梁、１０８…金具、１１０…エキスパンションジョイント、１１０ａ…隙間、１２２…第１遮蔽板、１２４…第２遮蔽板、１２６…第３遮蔽板、１３０…補強部材
【図１】
2020159986.tif 000003
【図２】
2020159986.tif 000004
【図３】
2020159986.tif 000005